(57)【特許請求の範囲】
【請求項１】
開口を設けた固定羽と該開口を開閉可能な可動羽とを備えたスラットが上下方向に複数連結されているシャッターであって、
前記可動羽は固定羽の屋外側に設置され、
前記固定羽には前記可動羽側のみに間隔を開けて複数の凸部が形成され、前記凸部の間に屋内側から屋外側にのみ打ち抜きで前記開口が形成され、前記凸部の高さは開口の打ち抜き時に発生し得るバリより高く設定されていることを特徴とするシャッター。
【請求項２】
開口を設けた固定羽と開閉可能な可動羽とを備えたスラットが上下方向に複数連結されているシャッターの製造方法であって、
前記固定羽の屋外側である一方の面のみに凸部が所定間隔を開けて複数形成されており、
前記固定羽の凸部の間隙に他方の面から前記一方の面にのみ打ち抜きで開口を形成し、その際、バリが生じても凸部の高さより低く、
前記固定羽の前記一方の面に前記可動羽を開閉可能に取り付けたことを特徴とするシャッターの製造方法。
【発明の詳細な説明】
【技術分野】
【０００１】
本発明は、建物の開口部に用いられていてスラットによって採光や通風等の可能なシャッターとその製造方法に関する。
【背景技術】
【０００２】
従来、スラットをブラインドとして用いた採光や通風等の可能なシャッターカーテンとして、スラットに採光と通風を行う開口を設けたものが知られている。例えばアルミ合金等の金属で形成されたスラットの開口を金型による打ち抜きで加工する際、開口の周縁部に打ち抜き方向にバリが発生することがあり、シャッターを操作する人がさわると手に傷を負う恐れがあった。バリ取り作業を行えばこのような欠点は改善されるが、工程が増えてコスト高になる欠点がある。
そのため、従来のシャッターカーテンでは、開口を人の手が届かない高所のスラットに形成することがあるが、この場合には採光や通風が十分でなかった。
【０００３】
このような欠点を改善するシャッターカーテンとして、例えば特許文献１に記載されたシャッターカーテンが提案されている。このシャッターカーテンは閉塞用スラットと通気や採光を行う通気用スラットとが上下方向に分かれて連結された一重のものである。各通気用スラットは上側と下側にそれぞれリブを突出して形成し、これら上下のリブ間の平板部に屋内側からまたは屋外側から他方側に開口を打ち抜き形成している。これら開口は通気性と採光性が良いが、開口を打ち抜き形成することで開口の周縁部に打ち抜き方向に向けてバリが発生することがある。
この場合、屋内外のスラットに人の手や指が触れたとしても開口の上下側にバリより高いリブが突出して配列されているために、リブによってバリに手や指が触れることを妨げるようにしている。
【先行技術文献】
【特許文献】
【０００４】
【特許文献１】特開２０１１−１９６０８２号公報
【発明の概要】
【発明が解決しようとする課題】
【０００５】
しかしながら、上述した特許文献１によるシャッターカーテンでは、スラットの内側と外側の両方にリブを突出させているために、屋外からも屋内からもリブによる凹凸やバリを目視できるため、スラットの外観の見栄えが悪く、シャッターカーテンの意匠性が悪いという欠点があった。しかも、外部の人が開口を通して屋内を目視可能であるためにプライバシーの保護を十分確保できない欠点もあった。
【０００６】
本発明は、このような課題に鑑みてなされたものであって、打ち抜き加工で開口を形成しても打ち抜きで生じるバリに人の手や指等が接触するおそれがなく、しかも外観の見栄えを良好にしたシャッターとシャッターの製造方法を提供することを目的とする。
【課題を解決するための手段】
【０００７】
本発明によるシャッターは、開口を設けた固定羽と開口を開閉可能な可動羽とを備えたスラットが上下方向に複数連結されているシャッターであって、可動羽は固定羽の屋外側に設置され、固定羽には可動羽側のみに間隔を開けて複数の凸部が形成され、凸部の間に屋内側から屋外側にのみ打ち抜きで開口が形成され、凸部の高さは開口の打ち抜き時に発生し得るバリより高く設定されていることを特徴とする。
本発明によれば、固定羽に開口を屋内側から屋外側に打ち抜き形成したため、固定羽の屋内側の面にバリが発生せず凸部も形成されていないので外観上の見栄えがよい。しかも、屋外側の開口にバリが発生してもその上下に凸部を設けたため人の手や指が固定羽に触ったとしてもバリに接触することを阻止できる。しかも、固定羽の開口の屋外側に開閉可能な可動羽が設けられているため固定羽の凸部やバリは見えにくく、開口を通して外部から屋内を目視することを妨げ、プライバシーを保護できる。
【０００８】
本発明によるシャッターの製造方法は、開口を設けた固定羽と開閉可能な可動羽とを備えたスラットが上下方向に複数連結されているシャッターの製造方法であって、固定羽の屋外側である一方の面のみに凸部が所定間隔を開けて複数形成されており、固定羽の凸部の間隙に他方の面から一方の面にのみ打ち抜きで開口を形成し、その際、バリが生じても凸部の高さより低く、固定羽の一方の面に前記可動羽を開閉可能に取り付けたことを特徴とする。
本発明では、固定羽に設けた短手方向の凸部の間隙に屋内側から屋外側に向けて打ち抜きで開口を形成すると、バリが凸部側に生じることがあり、固定羽の屋内側の面に手で触ってもバリ等がなく傷を生じることはなく、屋外側の面を触った場合には凸部間に手が入り込まず、しかも開口の周縁部のバリは凸部より高さが低いので手がバリに接触して傷つけることを防止できる。更に、開閉可能な可動羽によって固定羽の屋外側の凸部とバリを目視できないように隠すことができる。
【発明の効果】
【０００９】
本発明によるシャッターとその製造方法によれば、固定羽に開口を屋内側から屋外側に打ち抜き形成したため、固定羽の屋内側の面にバリが発生しない上に凸部も形成されていないので手を傷つけることがなく外観上の見栄えがよい。しかも、屋外側の開口にバリが発生してもその近傍に凸部を設けたため人の手や指が固定羽に触ったとしても凸部によってバリに接触することを防止し、安全である。また、固定羽の開口の屋外側に開閉可能な可動羽を設けたため固定羽の凸部やバリを隠して美観を確保し、開口を通して屋外から屋内を目視することを妨げ、プライバシーを保護できる。
【図面の簡単な説明】
【００１０】
【図１】本発明の実施形態によるシャッターを示す外観図である。
【図２】図１に示すシャッターの要部縦断面図である。
【図３】シャッターカーテンのスラットの可動羽を閉じた状態の要部斜視図である。
【図４】シャッターカーテンのスラットの可動羽を開いた状態の要部斜視図である。
【図５】スラットの固定羽を示す要部正面図である。
【図６】（ａ）は図３に示すスラットのＡ−Ａ線要部縦断面図、（ｂ）は図４に示すスラットのＢ−Ｂ線要部縦断面図である。
【発明を実施するための形態】
【００１１】
以下、本発明の実施形態によるシャッターを図１乃至図６に基づいて説明する。
図１及び図２に示す実施形態によるシャッター１は、建物の開口部２にフレーム３が形成され、フレーム３は上枠と下枠と左右一対の縦枠とで四角形枠状に形成されている。フレーム３の上側の天板と上枠との間にシャッターボックス４が設置されている。シャッターボックス４の下側における両側の縦枠に一対のガイドレール部５が上下方向に取り付けられている。
【００１２】
シャッターボックス４の内部には駆動モータに連結されたシャフト７が設置され、シャフト７には長尺の複数のスラット９が上下方向に連結されたシャッターカーテン１０が巻回されている。駆動モータの正逆回転により、シャッターカーテン１０を巻き上げれば開口部２の開口状態を得られ、シャッターカーテン１０を繰り出して下端まで降下させれば開口部２の閉鎖状態を得られる。
シャッターカーテン１０の上下動はその両端部を挟むガイドレール部５によってガイドされる。シャッターカーテン１０を開閉させるフレーム３の開口部２の内側には窓として、例えば引き違い障子６が設置されている。
【００１３】
次にシャッターカーテン１０の構造について図２〜図６により説明する。図２において、シャッターカーテン１０はその下端部に設けた巾木１２の上側に複数の二重のスラット９が上下方向に連結されている。
図３〜図６に示すように、各スラット９は開口１４を備えた固定羽１５と、固定羽１５に対して回動可能な可動羽１６とを備え、上側のスラット９の固定羽１５の下端部と下側のスラット９の可動羽１６の上端部とが回動可能に連結されて上下方向に連なっている。なお、各可動羽１６は閉状態と開状態または開作動の途中で停止保持可能である。
【００１４】
各スラット９における固定羽１５と可動羽１６は横方向に長尺に形成された略長板状であり、縦断面視で例えば外側に円弧状に湾曲して形成されている。図５及び図６に示すように、固定羽１５は屋外側の面に肉盛された凸部１７が横方向に帯状に形成された中央凹部２３と、中央凹部２３の両側に突出して形成された固定端部２４とを有している。しかも、凸部１７は上下方向に所定間隔で複数本形成されている。
【００１５】
中央凹部２３において、上下方向に隣接する凸部１７間の薄肉部には１条または複数条に分割形成された長円状の開口１４が形成されている。本実施形態では、上下の凸部１７の間に複数の開口１４が配列されている。なお、各開口１４に虫除け用のネットを貼り付けてもよい。
固定羽１５の開口１４は金型を用いて屋内側（凹曲面側）から屋外側(凸曲面側)に向けて打ち抜きで形成されており、これによってバリが開口１４の周縁部に形成されることがある。この場合でも、凸部１７の高さはバリの高さより大きく形成するものとする。
【００１６】
本実施形態に示す例では、図５に示すように、各開口１４は固定羽１５の縦幅方向全体に等間隔に配列され、各開口１４の上下にそれぞれ凸部１７が形成されている。開口１４を固定羽１５の縦方向に等間隔に設置すると、可動羽１６の開状態で屋内外の採風が良好である上に、採光もほぼ均等に得られる。
なお、開口１４と凸部１７は固定羽１５における縦方向の上側に偏って配列されていてもよい。開口１４を固定羽１５の上側に偏らせて配列すると、可動羽１６の開状態でも外部から開口１４内を視認し難い。外部光は下側の可動羽１６の外面と上側の可動羽１６の内面に反射して開口１４から入射し、柔らかい光を採光することができる。採風についても開状態にある可動羽１６と固定羽１５の間隙から複数の開口１４を通して屋内外に流通可能である。
【００１７】
また、可動羽１６は、図３及び図４において、中央領域に形成され且つ縦幅方向の長さが固定羽１５と略同一で固定羽１５の中央凹部２３を開閉可能な本体部１６ａと、その両端部が切り欠かれて縦方向の長さの小さい支持部１６ｂとを形成している。なお、図３、図４では可動羽１６は一方の端部だけを示しているが、他方の端部も同様に支持部１６ｂを形成している。そして、固定羽１５の両端部と可動羽１６の小幅の両支持部１６ｂはその一部が両側のガイドレール部５内にそれぞれ挿入されて上下動をガイドされ、可動羽１６の本体部１６ａは両側のガイドレール部５の間に位置して開閉作動する。
【００１８】
また、可動羽１６の屋内側の面には上側と下側に断面略Ｌ字状のリブ１８ａ、１８ｂが突出して形成されており、固定羽１５にも可動羽１６側の面における開口１４の上下に断面略Ｌ字状のリブ１７ａとストッパー１７ｂが形成されている。そのため、可動羽１６が図６（ｂ）に示す開状態から図６（ａ）に示す閉状態に回動した際に、可動羽１６の各リブ１８ａ、１８ｂと固定羽１５のリブ１７ａ、ストッパー１７ｂが固定羽１５と可動羽１６にそれぞれ当接することで可動羽１６が閉鎖されて固定羽１５との間に所定幅の空間ｋを形成する。
これらのリブ１７ａ、１８ａ、１８ｂやストッパー１７ｂによって、閉状態の可動羽１６と固定羽１５の間に虫やごみ等の異物を挟んでも可動羽１６が開くことがない。しかも、シャッターカーテン１０をシャフト７に巻き取ったときに巻き上げ不良を生じない上に、巻回した他のスラット９の重みでスラット９の空間ｋがつぶれることを防ぐ。
【００１９】
次に、複数のスラット９の連結構造について図６によって説明する。図６では２つのスラット９のみを示しているが、本実施形態では３つ以上連結されている。
各スラット９において、固定羽１５の上端部には室外側を向く第一フック部１５ａが形成され、更に第一フック部１５ａの付け根には可動羽１６の開作動をストップさせるストッパー１５ｂが形成されている。また、固定羽１５の下端部にも第二フック部１５ｃが形成され、更に第二フック部１５ｃには下側の可動羽１６を押圧して開作動させる押圧部１９が形成されている。
【００２０】
一方、可動羽１６には上端部に固定羽１５の第一フック部１５ａ内に回動可能に挿入された係止部２０と、第一フック部１５ａを外側から室内側で覆う断面略Ｌ字状の第一係合部２１ａとを備え、更に第一係合部２１ａの途中から分岐して上方に延びていて、上側に位置するスラット９の固定羽１５の下端部に形成した第二フック部１５ｃ内に回動可能に挿入される第二係合部２１ｂとが形成されている。上下のスラット９は、上側の固定羽１５の第二フック部１５ｃと下側の可動羽１６の第二係合部２１ｂとが回動可能に嵌合することで連結されている。
しかも、係止部２０と第一係合部２１ａの間には、上側の固定羽１５の押圧部１９の押圧を受けて可動羽１６を第一フック部１５ａと第二フック部１５ｃを中心に回動させて開作動させる受け面１６ｃが形成されている。
【００２１】
そのため、図６（ａ）において、可動羽１６の本体部１６ａが固定羽１５のストッパー１７ｂに当接している閉位置にある状態から、シャッターカーテン１０をわずかに下方移動させて上側の固定羽１５の押圧部１８で下側の可動羽１６の受け面１６ｃを押すことで、図６（ｂ）に示すように、可動羽１６が回動して固定羽１５から離間する方向に開作動することになる。この場合、可動羽１６の開作動は第一係合部２１ａが固定羽１５のストッパー１５ｂに当接することで停止し、固定羽１５に対して可動羽１６は所定角度、例えば鋭角で開いた状態に保持される。
この状態で、固定羽１５の開口１４は外部から視認し難く、太陽光等の外部光は下側の可動羽１６の外面とその上の可動羽１６の内面に反射して開口１４から入射して採光する。
【００２２】
本実施形態によるシャッター１は上述した構成を備えており、次にシャッターカーテン１０の製造方法について説明する。
まず、シャッターカーテン１０の固定羽１５と可動羽１６を組み立てる前に、図示しない金型によって固定羽１５の中央凹部２３において、上下の凸部１７間で屋内側即ち凹曲面側から屋外側即ち凸曲面側に長円状の開口１４を打ち抜く。次に、固定羽１５の上部の第一フック部１５ａに可動羽１６の第一係合部２１ａを相対回動可能に嵌め込むことで１つのスラット９を形成する。そして、スラット９の可動羽１６の第二係合部２１ｂに上側の固定羽１５の第二フック部１５ｃを相対回動可能に嵌め込む。また、固定羽１５の第二フック部１５ｃに下側の可動羽１６の第一係合部２１ａを回動可能に嵌め込む。
このようにして、固定羽１５と可動羽１６を順次上下方向に連結し、更にその下端に巾木１２を連結することでシャッターカーテン１０を製作する。次にシャッターカーテン１０の上端のスラット９をシャッターボックス４内のシャフト７に取り付けて巻き取る。
【００２３】
次に、本実施形態によるシャッター１の使用方法を説明する。
建物の開口部２をシャッターカーテン１０で開口状態から閉鎖状態に閉じる場合、図２に示すように、駆動モータを回転駆動させてシャッターカーテン１０をシャフト７に巻き上げた状態から繰り出し、シャッターカーテン１０の各スラット９は可動羽１６が固定羽１５に嵌合した閉状態で、両側のガイドレール部５にガイドされて降下させる。
【００２４】
そして、図２に示すように、シャッターカーテン１０の下端部の巾木１２がフレーム３の下枠に当接して、負荷が変化したことを検知することで停止する。この状態で開口部２はシャッターカーテン１０で閉鎖されている。この位置で、シャッターカーテン１０の固定羽１５の内面に触ってもバリや凸部１７等はなく滑らかであり、手等を傷つけることもない。
そして、図６（ａ）に示すスラット９の閉状態から、通風または採光のために可動羽１６を開作動させるには、更に駆動モータでシャッターカーテン１０をわずかに下方移動させる。これによって、図６（ｂ）に示すように、各スラット９の固定羽１５の下端部の押圧部１９で下側のスラット９の可動羽１６の受け面１６ｃを押すことで、可動羽１６が第一フック部１５ａを嵌合する第一係合部２１ａと第二フック部１５ｃに嵌合される第二係合部２１ｂとを中心に回転することで所定角度だけ室外側に開作動し、第一係合部２１ａが固定羽１５のストッパー１５ｂに当接して開状態で停止する。
【００２５】
この状態で、図６（ｂ）に示すように、太陽光等の光が下側の可動羽１６で反射して上側の可動羽１６の内面で反射し開口１４を通して室内を照射する。採風も同様に固定羽１５の開口１４を通して室内外に柔らかく流通する。また、開状態にある可動羽１６の屋内側に固定羽１５の複数の開口１４が配設されているから、外部から開口１４を通して室内を視認し難く、プライバシーを保護すると共に防犯上の安全性を向上できる。
【００２６】
また、可動羽１６の開状態で人が固定羽１５の屋外側の面を触ったとしても、凸部１７が所定間隔で水平方向に配列されていてその間隔が狭いので、凸部１７間の開口１４に指が入らない。しかも、上下の凸部１７間の開口１４の周縁部に生じたバリの高さより凸部１７の高さの方が高いので、バリに手が届かない。そのため、手を傷つけることを防止できる。
【００２７】
また、建物の開口部２を開放するには、駆動モータを逆回転させてシャッターカーテン１０を若干上方移動させることで押圧部１９が可動羽１６の受け面１６ｃから離れ、可動羽１６をその自重によって閉作動させる。そして、可動羽１６ｂの本体部１６ａを固定羽１５の中央凹部２３に嵌合させて、開口１４を閉鎖させる。その後、駆動モータを回転させてシャッターカーテン１０をシャフト７に巻き上げればよい。
【００２８】
上述のように、本実施形態によるシャッター１によれば、シャッターカーテン１０の各スラット９において、固定羽１５の屋内側から屋外側に金型で打ち抜いて開口１４を形成することでバリが固定羽１５の屋外側に生じても、固定羽１５の屋外側には開口１４の上下に肉盛をしてバリより高い凸部１７を形成したため、手で固定羽１５を触ってもバリに届かず、手を傷つけることがなく安全である。しかも、固定羽１５の屋内側にはバリも凸部１７も形成されないから、外観の見栄えが良い。
また、固定羽１５の屋外側には可動羽１６が開閉可能に設けられているため、凸部１７やバリ等が外部から見にくく、外観の見栄えがよい。
【００２９】
なお、本発明によるシャッター１は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００３０】
例えば、固定羽１５の中央凹部２３において、上下の凸部１７間に設けた開口１４は３つに限定されるものではなく、適宜の１または複数の開口１４を形成できる。これらの場合でも、上下の凸部１７によってバリに人の手が触れることを阻止できる。
また、上述した実施形態では固定羽１５の中央凹部２３に凸部１７と開口１４を形成したが、必ずしも中央凹部２３を設けなくてもよく、固定羽１５の可動羽１６側の面に凸部１７と開口１４を形成してもよい。
【符号の説明】
【００３１】
１  シャッター
５  ガイドレール部
９  スラット
１０  シャッターカーテン
１４  開口
１５  固定羽
１６  可動羽
１７  凸部
【図１】
0006325410.tif 000002
【図２】
0006325410.tif 000003
【図３】
0006325410.tif 000004
【図４】
0006325410.tif 000005
【図５】
0006325410.tif 000006
【図６】
0006325410.tif 000007